(57)【要約】【課題】  コンテンツの画像を最適な表示画素数で拡大表示させることが可能な表示制御装置及び表示制御方法を提供する。【解決手段】  解析部１４は、画素変換部１３により画素変換された画像の画像特性を解析する。画素数決定部１５は、解析部１４による解析結果と、予め定められた劣化判定閾値とを比較して、コンテンツに最適な表示画素数を決定する。画素変換部４は、決定された最適表示画素数にコンテンツの画素数を変換する。【選択図】  図１
2008172392.tif 000002
【特許請求の範囲】
【請求項１】
コンテンツの画素数よりも多い画素数を有する表示部に、前記コンテンツの画像を拡大した拡大画像を表示可能な表示制御装置であって、
前記コンテンツの拡大画像の画像特性を解析する解析手段と、
前記解析手段により解析された画像特性が予め定められた判定基準を満たすように、前記コンテンツの拡大画像の表示画素数を決定する画素数決定手段と、
前記コンテンツの画素数を前記画素数決定手段で決定された前記表示画素数に変換して、前記表示画素数を有する拡大画像を前記表示部に出力する画素変換手段とを備えることを特徴とする表示制御装置。
【請求項２】
さらに、前記コンテンツの蓄積及び再生を制御する制御手段を備え、
前記解析手段は、解析精度を段階的に高くしながら、蓄積された前記コンテンツの拡大画像の画像特性を解析し、
前記画素数決定手段は、前記解析手段により解析された画像特性が予め定められた判定基準を満たすように、各段階の解析精度に対応する前記表示画素数を順次決定し、
前記制御手段は、蓄積された前記コンテンツの再生指示を受けた場合に、該再生指示を受けた時点で前記画素数決定手段により決定されている前記表示画素数に、前記コンテンツの画素数を変換するように前記画素変換手段を制御することを特徴とする請求項１に記載の表示制御装置。
【請求項３】
前記解析手段は、解析精度が高いほど、解析する画像のフレーム数を増やすことを特徴とする請求項２に記載の表示制御装置。
【請求項４】
コンテンツの画素数よりも多い画素数を有する表示部に、前記コンテンツの画像を拡大した拡大画像を表示可能な表示制御装置であって、
前記コンテンツの画像特性を解析する解析手段と、
前記解析手段により解析された画像特性と、前記コンテンツの画像を拡大した場合に画像特性が劣化する割合を予め予測した予測劣化率と、予め定められた判定基準とを用いて、前記コンテンツの拡大画像の画像特性が予め定められた判定基準を満たすように、前記コンテンツの拡大画像の表示画素数を決定する画素数決定手段と、
前記コンテンツの画素数を前記画素数決定手段で決定された前記表示画素数に変換して、前記表示画素数を有する拡大画像を前記表示部に出力する画素変換手段とを備えることを特徴とする表示制御装置。
【請求項５】
前記解析手段は、前記コンテンツの拡大画像を周波数成分に分解して解析し、周波数成分に係る画像特性を得ることを特徴とする請求項１から請求項４までのいずれか１項に記載の表示制御装置。
【請求項６】
前記予め定められた判定基準は、前記表示部の画素数に応じて異なることを特徴とする請求項１から請求項５までのいずれか１項に記載の表示制御装置。
【請求項７】
前記予め定められた判定基準は、前記表示部の表示領域の大きさに応じて異なることを特徴とする請求項１から請求項５までのいずれか１項に記載の表示制御装置。
【請求項８】
さらに、前記コンテンツを蓄積する蓄積手段と、
前記画素数決定手段により決定された表示画素数を示す情報を、前記蓄積手段により蓄積された前記コンテンツに付加する付加手段とを備えることを特徴とする請求項１から請求項７までのいずれか１項に記載の表示制御装置。
【請求項９】
コンテンツの画素数よりも多い画素数を有する表示部に、前記コンテンツの画像を拡大した拡大画像を表示可能とする表示制御方法であって、
前記コンテンツの拡大画像の画像特性を解析する解析ステップと、
前記解析ステップで解析された画像特性が予め定められた判定基準を満たすように、前記コンテンツの拡大画像の表示画素数を決定する画素数決定ステップと、
前記コンテンツの画素数を前記画素数決定ステップで決定された前記表示画素数に変換して、前記表示画素数を有する拡大画像を前記表示部に出力する画素変換ステップとを備えることを特徴とする表示制御方法。
【請求項１０】
さらに、前記コンテンツの蓄積及び再生を制御する制御ステップを備え、
前記解析ステップにおいて、解析精度を段階的に高くしながら、蓄積された前記コンテンツの拡大画像の画像特性を解析し、
前記画素数決定ステップにおいて、前記解析ステップで解析された画像特性が予め定められた判定基準を満たすように、各段階の解析精度に対応する前記表示画素数を順次決定し、
前記制御ステップにおいて、蓄積された前記コンテンツの再生指示を受けた場合に、該再生指示を受けた時点で前記画素数決定ステップにより決定されている前記表示画素数に、前記コンテンツの画素数を変換するように前記画素変換ステップの動作を制御することを特徴とする請求項９に記載の表示制御方法。
【請求項１１】
前記解析ステップにおいて、解析精度が高いほど、解析する画像のフレーム数を増やすことを特徴とする請求項１０に記載の表示制御方法。
【請求項１２】
コンテンツの画素数よりも多い画素数を有する表示部に、前記コンテンツの画像を拡大した拡大画像を表示可能とする表示制御方法であって、
前記コンテンツの画像特性を解析する解析ステップと、
前記解析ステップで解析された画像特性と、前記コンテンツの画像を拡大した場合に画像特性が劣化する割合を予め予測した予測劣化率と、予め定められた判定基準とを用いて、前記コンテンツの拡大画像の画像特性が予め定められた判定基準を満たすように、前記コンテンツの拡大画像の表示画素数を決定する画素数決定ステップと、
前記コンテンツの画素数を前記画素数決定ステップで決定された前記表示画素数に変換して、前記表示画素数を有する拡大画像を前記表示部に出力する画素変換ステップとを備えることを特徴とする表示制御方法。
【請求項１３】
前記解析ステップにおいて、前記コンテンツの拡大画像を周波数成分に分解して解析し、周波数成分に係る画像特性を得ることを特徴とする請求項９から請求項１２までのいずれか１項に記載の表示制御方法。
【請求項１４】
前記予め定められた判定基準は、前記表示部の画素数に応じて異なることを特徴とする請求項９から請求項１３までのいずれか１項に記載の表示制御方法。
【請求項１５】
前記予め定められた判定基準は、前記表示部の表示領域の大きさに応じて異なることを特徴とする請求項９から請求項１３までのいずれか１項に記載の表示制御方法。
【請求項１６】
さらに、前記コンテンツを蓄積する蓄積ステップと、
前記画素数決定ステップで決定された表示画素数を示す情報を、前記蓄積ステップで蓄積された前記コンテンツに付加する付加ステップとを備えることを特徴とする請求項９から請求項１５までのいずれか１項に記載の表示制御方法。
【発明の詳細な説明】
【技術分野】
【０００１】
本発明は、表示制御装置及び表示制御方法に関し、特にコンテンツの画像を拡大した拡大画像を表示可能な表示制御装置及び表示制御方法に関する。
【背景技術】
【０００２】
現行のデジタルテレビ放送では、ＳＤ（Ｓｔａｎｄａｒｄ  Ｄｅｆｉｎｉｓｉｏｎ：標準解像度）のコンテンツやＨＤ（Ｈｉｇｈ  Ｄｅｆｉｎｉｓｉｏｎ：高解像度）のコンテンツが混在している。ＳＤコンテンツは例えば７２０×４８０画素のコンテンツであり、ＨＤコンテンツは例えば１２８０×７２０或いは１９２０（１４４０）×１０８０画素のコンテンツである。また、ＤＶＤ（Ｄｉｇｉｔａｌ  Ｖｅｒｓａｔｉｌｅ  Ｄｉｓｃ）等の蓄積メディア、インターネット放送、ＶＯＤ（Ｖｉｄｅｏ  Ｏｎ  Ｄｅｍａｎｄ）等においても、ＳＤのコンテンツ（ＳＤコンテンツ）とＨＤのコンテンツ（ＨＤコンテンツ）が混在している。
【０００３】
ＳＤコンテンツに対応したディスプレイとしては、例えば７２０×４８０画素のディスプレイがある。また、ＨＤコンテンツに対応したディスプレイとしては、例えば１２８０×７２０画素や１９２０×１０８０画素のディスプレイがある。近年は、徐々にＨＤ対応ディスプレイが普及してきている。
【０００４】
ここで、ＨＤ対応ディスプレイにＳＤコンテンツの画像を表示する手法は大きく２つの手法に分けられる。第一の手法は、ＳＤコンテンツをＨＤ対応ディスプレイの画素数に合わせて画素変換し、ＨＤ対応ディスプレイの画面全体にＳＤコンテンツの画像を拡大して表示する手法である。第二の手法は、ＳＤコンテンツを画素変換せずに、ＨＤ対応ディスプレイの画面の一部に表示する手法である。
【０００５】
下記の特許文献１には、ＳＤ画像をＨＤ画像に変換する方法が開示されている。これによれば、ＳＤ画像に対応するＨＤ画像を遺伝的操作により生成し、生成したＨＤ画像をＳＤ画像に変換して、元のＳＤ画像と比較して変換結果の妥当性を評価する。
【特許文献１】特開平１１−４４１４号公報
【発明の開示】
【発明が解決しようとする課題】
【０００６】
近年、ＨＤよりもさらに高解像度のスーパーハイビジョンと呼ばれるコンテンツ及びディスプレイの研究・開発が日本放送協会（ＮＨＫ）の放送技術研究所を中心に行われている。スーパーハイビジョンコンテンツ（以下、ＳＨＶコンテンツと称する）の映像フォーマットは、７６８０×４３２０（８ｋ×４ｋ）画素となっている。また、一方では、４ｋ×２ｋ画素の映像フォーマットを有するデジタル・シネマの開発も進められている。スーパーハイビジョン（ＳＨＶ）対応のディスプレイとしては、７６８０×４３２０（８ｋ×４ｋ）画素のディスプレイや、４０９６×２１６０（４ｋ×２ｋ）画素のディスプレイ等が想定されている。
【０００７】
ここで、１９２０×１０８０画素のＨＤコンテンツの画素数は、７２０×４８０画素のＳＤコンテンツの画素数の約６倍である。これに対して、７６８０×４３２０（８ｋ×４ｋ）画素のＳＨＶコンテンツの画素数は、７２０×４８０画素のＳＤコンテンツの画素数の約９６倍である。このため、８ｋ×４ｋ画素のＳＨＶ対応ディスプレイの画面全体にＳＤコンテンツの画像を拡大して表示すると、画素変換による大きな画質劣化が生じるので、ユーザに大きな違和感を与えることが想定される。一方、８ｋ×４ｋ画素のＳＨＶ対応ディスプレイの画面にＳＤコンテンツの画像を画素変換せずに表示する場合も、ＳＨＶ対応ディスプレイの画面の１／９６の領域にしか表示されないため、ユーザに大きな違和感を与えることが想定される。また、４ｋ×２ｋ画素のディスプレイにＳＤコンテンツの拡大画像を表示する場合も、同様にユーザに大きな違和感を与えることが想定される。
【０００８】
このような課題を解決するためには、コンテンツに最適な表示画素数（例えば、画像特性の劣化が許容できる範囲内での最大の表示画素数）で表示することが望ましい。しかしながら、従来は、単純にディスプレイの画素数に合わせて画素変換を行ったり、ユーザが表示画素数を設定したりするのが一般的であり、コンテンツに最適な表示画素数を求める方法は提案されていない。
【０００９】
特許文献１には、ＳＤ画像をＨＤ画像に変換する方法が開示されているが、コンテンツに最適な表示画素数を求めて画素変換を行う方法は開示されていない。
【００１０】
そこで、本発明は、コンテンツの画像を最適な表示画素数で拡大表示させることができる表示制御装置及び表示制御方法を提供することを目的とする。
【課題を解決するための手段】
【００１１】
上述した課題を解決するために、本発明に係る表示制御装置は、コンテンツの画素数よりも多い画素数を有する表示部に、コンテンツの画像を拡大した拡大画像を表示可能な表示制御装置であって、コンテンツの拡大画像の画像特性を解析する解析手段と、解析手段により解析された画像特性が予め定められた判定基準を満たすように、コンテンツの拡大画像の表示画素数を決定する画素数決定手段と、コンテンツの画素数を画素数決定手段で決定された表示画素数に変換して、表示画素数を有する拡大画像を表示部に出力する画素変換手段とを備えることを特徴とする。
【００１２】
また、本発明の係わる表示制御方法は、コンテンツの画素数よりも多い画素数を有する表示部に、コンテンツの画像を拡大した拡大画像を表示可能とする表示制御方法であって、コンテンツの拡大画像の画像特性を解析する解析ステップと、解析ステップで解析された画像特性が予め定められた判定基準を満たすように、コンテンツの拡大画像の表示画素数を決定する画素数決定ステップと、コンテンツの画素数を画素数決定ステップで決定された表示画素数に変換して、表示画素数を有する拡大画像を表示部に出力する画素変換ステップとを備えることを特徴とする。
【発明の効果】
【００１３】
本発明によれば、コンテンツの画像特性を解析することにより、コンテンツの画像を最適な表示画素数で拡大表示させることが可能となる。
【発明を実施するための最良の形態】
【００１４】
（実施の形態１）
以下、本発明の実施の形態を図面を用いて説明する。図１は、本発明の実施の形態１に係る表示制御装置の概略構成を示すブロック図である。なお、本実施例において、デジタルテレビ放送のコンテンツを視聴することを想定している。また、伝送フォーマットはＭＰＥＧ２（Ｍｏｔｉｏｎ  Ｐｉｃｔｕｒｅ  Ｅｘｐｅｒｔ  Ｇｒｏｕｐ２）のＴＳ（Ｔｒａｎｓｐｏｒｔ  Ｓｔｒｅａｍ）を想定している。
【００１５】
図１において、この表示制御装置は、受信部１、デマルチプレクサ２、映像復号部３、画素変換部４、映像出力部５、システム制御部６、蓄積処理部７、蓄積再生制御部８、コンテンツ蓄積部９を備える。さらに、表示制御装置は、画素数決定制御部１０、最適画素数計算部１１、映像復号部１２、画素変換部１３、解析部１４、画素数決定部１５、閾値記憶部１６、画素数記憶部１７及びリモコン１８を備える。
【００１６】
アンテナ（図示せず）で受信されたデジタル放送信号は、受信部１に入力される。（ケーブルテレビ回線やインターネット回線を経由したデジタル放送信号も含む）
受信部１は、入力されたデジタル放送信号からユーザの所望するチャンネルの信号を選局し、復調処理を施してＭＰＥＧ２方式のＴＳ信号をデマルチプレクサ２に出力する。デマルチプレクサ２は、多重化されたＴＳ信号に対してデマルチプレクス処理を施し、映像信号（ＭＰＥＧ２−Ｖｉｄｅｏ信号）、音声信号（ＭＰＥＧ２−Ａｕｄｉｏ信号）等に分離して出力する。デマルチプレクサ２から出力された映像信号は、映像復号部３に与えられる。デマルチプレクサ２から出力された音声信号は音声復号部（図示せず）に与えられるが、ここでは、音声信号に関する処理は説明を省略する。
【００１７】
映像復号部３は、デマルチプレクサ２からの映像信号を復号して出力する。画素変換部４は、映像復号部３から出力された映像信号に対して、システム制御部６により指示された表示画素数に変換する画素変換処理を行う。画素変換のアルゴリズムとしては、例えばバイキュービック法等の任意の手法を使用する。映像出力部５は、画素変換部４によって画素変換された映像信号を表示制御装置（図示せず）に出力する。
【００１８】
また、デマルチプレクサ２は、受信部１から出力されたＴＳ信号から、蓄積するコンテンツの信号を抽出して蓄積処理部７に与える。蓄積処理部７は、蓄積するコンテンツのパケットを整形して、コンテンツ番号、蓄積日、コンテンツ長等の蓄積コンテンツ情報を付加する。
【００１９】
図２は、コンテンツ番号１〜４のコンテンツに付加される蓄積コンテンツ情報の一例を示す図である。図２において、蓄積コンテンツ情報として「蓄積コンテンツ番号」「蓄積日」「コンテンツ長」が付加されている。例えば、コンテンツ番号１に対応するコンテンツの蓄積日は２００６／７／４であり、コンテンツ長は１時間３２分１０秒（１ｈ３２ｍ１０ｓ）である。
【００２０】
図１に戻って、蓄積再生制御部８は、システム制御部６から蓄積要求を受けた場合に、蓄積処理部７から出力されたコンテンツをコンテンツ蓄積部９に蓄積する。また、蓄積再生制御部８は、システム制御部６から再生指示を受けた場合、コンテンツ蓄積部９に蓄積されたコンテンツを読み出してデマルチプレクサ２に与える。
【００２１】
画素数決定制御部１０は、コンテンツ蓄積部９からの蓄積コンテンツ情報に基づいて、最適画素数計算部１１の動作の制御を行う。最適画素数計算部１１は、コンテンツに最適な表示画素数を算出する。この最適画素数計算部１１は、映像復号部１２、画素変換部１３、解析部１４及び画素数決定部１５を含む。なお、本発明において、最適な表示画素数とは、画像を拡大したときの画像特性の劣化が一定レベル以上悪くならない最大の表示画素数を意味する。コンテンツの画像を画素変換して拡大すると画像特性が劣化するため、本発明では画像特性が一定レベルよりも悪くならないように表示画素数を決定する。
【００２２】
映像復号部１２は、コンテンツ蓄積部９に蓄積されたコンテンツの映像信号から任意のフレームを抜き出して復号する。画素変換部１３は、映像復号部１２によって復号された映像信号の画素変換を行う。解析部１４は、画素変換部１３による画素変換の結果を解析する。閾値記憶部１６には、画像特性の劣化度合いを判定するための劣化判定閾値（判定基準値）が予め格納されている。画素数決定部１５は、解析部１４による解析結果と、閾値記憶部１６から取得した劣化判定閾値とを比較して、コンテンツに最適な表示画素数を決定する。なお、画素数決定制御部１０及び最適画素数計算部１１によりコンテンツに最適な表示画素数を決定する処理については後述する。
【００２３】
画素数記憶部１７は、画素数決定部１５によって決定された表示画素数を保持する。また、この画素数記憶部１７には、ディスプレイの画素数が予め格納される。システム制御部６は、画素数記憶部１７に保持された画素数情報を取得して画素変換部４に設定する。また、このシステム制御部６は、リモコン１８からのリモコン信号に応じて、蓄積再生制御部８の動作を制御する。
【００２４】
なお、図１では、２つの映像復号部３，１２及び２つの画素変換部４，１３を設けた構成を示したが、１つの映像復号部３及び１つの画素変換部４を設けた構成にしてもよい。この場合は、映像復号部３及び画素変換部４を最適表示画素数の計算処理に兼用し、画素変換部４による画素変換の結果を解析部１４で解析する構成にすればよい。
【００２５】
ここで、本発明では、コンテンツに最適な表示画素数を決定する処理において、解析精度を段階的に高くしながら最適表示画素数を算出する。これにより、蓄積されたコンテンツの再生要求があった場合、その時点の解析精度で算出された最適表示画素数を用いて、コンテンツの画像を拡大して表示することが可能となる。
【００２６】
図３は、解析精度を段階的に高くしながら最適表示画素数を決定する処理について説明するための図である。ここで、時刻ｔ０にコンテンツの蓄積が開始され、時刻ｔ４にコンテンツの蓄積が終了するものとする。
【００２７】
図１及び図３を参照して、時刻ｔ０にコンテンツの蓄積が開始された後、最適画素数計算部１１は、解析精度を段階的に高くしながらコンテンツに最適な表示画素数を計算する。具体的には、時刻ｔ１に解析精度Ｐ（１）で演算処理が行われ、時刻ｔ０〜ｔ１の期間に蓄積されたコンテンツに対応する最適な表示画素数Ｒ（１）が算出される。続いて、時刻ｔ３に解析精度Ｐ（１）よりも１段階高い精度の解析精度Ｐ（２）で演算処理が行われ、時刻ｔ０〜ｔ３の期間に蓄積されたコンテンツに対応する最適な表示画素数Ｒ（２）が算出される。続いて、時刻ｔ６に解析精度Ｐ（２）よりも１段階高い精度の解析精度Ｐ（３）で演算処理が行われ、時刻ｔ０〜ｔ４の期間に蓄積されたコンテンツに対応する最適な表示画素数Ｒ（３）が算出される。
【００２８】
時刻ｔ２に、ユーザがリモコン１８を操作して、蓄積されたコンテンツのタイムシフト再生を要求した場合（再生要求Ａ）、システム制御部６は蓄積再生制御部８にコンテンツの再生を指示する。また、システム制御部６は、画素数記憶部１７からその時点で算出されている最適表示画素数Ｒ（１）を取得し、画素変換部４に最適表示画素数Ｒ（１）を設定する。蓄積再生制御部８により再生されたコンテンツは、画素変換部４によって最適表示画素数Ｒ（１）に画素変換されてディスプレイに拡大表示される。また、時刻ｔ５に、ユーザが蓄積されたコンテンツのタイムシフト再生を要求した場合は（再生要求Ｂ）、その時点で算出されている最適表示画素数Ｒ（２）に画素変換されてディスプレイに拡大表示される。このように、解析精度を段階的に高くしながら最適表示画素数を算出するため、蓄積されたコンテンツの再生要求がされた時点で算出されている最適表示画素数で、コンテンツの拡大画像をディスプレイに表示することが可能となる。
【００２９】
次に、コンテンツに最適な表示画素数を決定する処理について説明する。図４は、最適表示画素数を決定する処理を示す第１のフローチャートである。図１及び図４を用いて、画素数決定制御部１０及び最適画素数計算部１１によりコンテンツに最適な表示画素数を決定する処理について説明する。
【００３０】
ステップＳ１０１において、画素数決定制御部１０は、コンテンツ蓄積部９に蓄積されたコンテンツを解析して、蓄積されたコンテンツの画素数を取得する。また、この画素数決定制御部１０は、画素数記憶部１７からディスプレイの画素数情報を読み出す。続いてステップＳ１０２において、コンテンツの画素数がディスプレイの画素数よりも低いか否かを判別する。なお、ディスプレイの画素数情報は、画素数決定制御部１０に予め設定されるものとする。ここで、「コンテンツの画素数」≧「ディスプレイの画素数」である場合は（ＮＯ）、ステップＳ１０３に進み、画素数決定部１５はディスプレイの画素数をコンテンツに最適な表示画素数として決定する。一方、「コンテンツの画素数」＜「ディスプレイの画素数」である場合は（ＹＥＳ）、ステップＳ１０２からステップＳ１０３に進み、最適画素数計算部１１はコンテンツに最適な表示画素数を計算する。
【００３１】
図５は、最適表示画素数を決定する処理を示す第２のフローチャートである。この図５は、図４に示したステップＳ１０３の最適画素数計算処理を詳細に説明するものであり、解析精度Ｐ（ｎ）での演算処理を示している。なお、本実施例では、コンテンツの画像解析に用いるフレーム数を段階的に増やしていくことにより、解析精度Ｐ（ｎ）を段階的に高くしていくものとする。
【００３２】
図１及び図５を参照して、ステップＳ１３０において、画素数決定部１５は、画素数記憶部１７からディスプレイの画素数（Ｘ×Ｙ）を読み出して、表示画素数の初期設定値とする。ここで、Ｘは水平方向の画素数、Ｙは垂直方向の画素数を表す。次に、ステップＳ１３１において、画素数決定制御部１０は、コンテンツ蓄積部９に蓄積されたコンテンツから、解析精度Ｐ（ｎ）での演算処理に必要なフレーム数分だけフレームを選択する。フレームの選択のし方は、ランダムに選択してもよいし、所定の間隔でフレームを選択してもよい。解析精度Ｐ（ｎ）の演算処理に必要なフレーム数は、例えば２ｎとする。ただし、これに限定されるものではなく、解析精度が高くなる程演算処理に用いるフレーム数が増えるようにすればよい。
【００３３】
ステップ１３２において、映像復号部１２は、コンテンツ蓄積部９に蓄積されたコンテンツから２ｎ枚のフレームの画像を取得して復号する。ステップ１３３において、画素変換部１３は、映像復号部１２で復号された各フレームの画像を設定された表示画素数（Ｘ×Ｙ）に画素変換して解析部１４に出力する。
【００３４】
ステップＳ１３４において、解析部１４は、画素変換された各フレームの画像をＤＣＴ（Ｄｉｓｃｒｅｔｅ  Ｃｏｓｉｎｅ  Ｔｒａｎｓｆｏｒｍ：離散コサイン変換）等の直行変換手法を用いて、空間的な周波数成分に分解する。続いて、ステップＳ１３５において、空間周波数分解により得られたＤＣＴ係数を２乗して、周波数成分毎のエネルギーのヒストグラムを生成する。
【００３５】
図６は、解析部１４による空間周波数分解及びヒストグラム生成の処理について説明するための図である。図６に示すように、各フレームの画像が複数のブロックに分割され、各ブロックに対してＤＣＴ演算処理が施される。各ブロックのサイズは任意であるが、ＭＰＥＧで一般的に用いられている８×８画素程度が好ましい。各ブロックについて、ＤＣＴ演算処理により空間周波数分解されて、周波数成分毎のＤＣＴ係数が得られる。ＤＣＴ演算処理については、公知の技術を用いるためここでは説明を省略する。図６において、８×８行列のＤＣＴ係数マトリクス上における各周波数成分に対応するＤＣＴ係数位置をａ１１〜ａ８８の数字で示している。解析部１４は、各周波数成分のＤＣＴ係数を２乗して、ＤＣＴ係数位置ａ１１〜ａ８８のエネルギー値を取得する。そして、フレーム内の各ブロックのエネルギー値を収集して、横軸をエネルギー値、縦軸を各エネルギー値に対応するフロック数としたエネルギーヒストグラムを生成する。
【００３６】
次に、選択された全てのフレームについてのエネルギーヒストグラムの生成が完了すると、ステップＳ１３６からステップＳ１３７に進む。ステップＳ１３７において、解析部１４は、選択された全てのフレームの周波数成分毎のエネルギーヒストグラムから、周波数成分毎のエネルギー平均値及びエネルギー標準偏差σを算出する。続いて、ステップＳ１３８において、算出された周波数成分毎のエネルギー平均値とエネルギー標準偏差σから（エネルギー平均値＋２×σ）を計算する。これにより、エネルギー値の９５％が含まれる範囲の上限値（エネルギー上限値）が求められる。
【００３７】
ステップＳ１３９において、画素数決定部１５は、解析部１４により算出された各周波数成分のエネルギー上限値と、閾値記憶部１６に格納されている劣化判定閾値とを比較する。閾値記憶部１６には、評価実験等から得られた、各周波数成分に対応する劣化判定閾値が予め格納されている。この劣化判定閾値（判定基準値）は、画素変換による画像特性の劣化をユーザが許容できるかどうかの境界を示す閾値である。図７は、図６に示したＤＣＴ係数マトリクス上における各周波数成分に対応するＤＣＴ係数位置ａ１１〜ａ８８の劣化判定閾値の一例を示す図である。
【００３８】
図５に戻って、ステップＳ１４０において、画素数決定部１５は、画像特性の劣化が許容範囲内であるか否かを判別する。具体的には、全ての周波数成分のエネルギー上限値が、劣化判定閾値よりも大きいか否かを判別する。ここで、画像特性が許容範囲よりも劣化している場合（ＮＯ）、具体的には、少なくとも１つの周波数成分のエネルギー上限値が劣化判定閾値よりも小さい場合は、ステップＳ１４０からステップＳ１４１に進む。ただし、１つではなく所定数の周波数成分のエネルギー上限値が劣化判定閾値よりも小さい場合に、ステップＳ１４０からステップＳ１４１に進むようにしてもよい。
【００３９】
なお、この劣化判定処理は、画像特性が劣化するほど各周波数成分のエネルギー値が小さくなるという考えに基づいている。ただし、画像特性が劣化するほど高周波成分のエネルギー値のみが小さくなる場合もあると想定される。このため、高周波成分のエネルギー値のみを用いて劣化判定を行ってもよい。例えば、図６のＤＣＴ係数位置ａ１５〜ａ１７，ａ２５〜ａ２７，ａ３５〜ａ３７，ａ４５〜ａ４７，ａ５１〜ａ５７，ａ６１〜ａ６７，ａ７１〜ａ７７に対応するエネルギー値のみを用いてもよい。
【００４０】
ステップＳ１４１において、水平方向の画素数を（Ｘ／１０）だけ減算し、垂直方向の画素数を（Ｙ／１０）だけ減算して、表示画素数の設定値を変更する。なお、ここで表示画素数の設定値をどの程度変更するかは任意であるが、元の画像のアスペクト比を変化させないようにするのが好ましい。ステップＳ１４１で表示画素数の設定値を変更が変更された場合は、再度ステップＳ１３２〜Ｓ１４０の処理を実行する。そして、画像特性の劣化が許容範囲内に収まるまで、ステップＳ１３２〜Ｓ１４１の処理を繰り返す。
【００４１】
一方、画像特性の劣化が許容範囲内である場合は（ＹＥＳ）、ステップＳ１４０からステップＳ１４２に進み、設定された表示画素数を最適な表示画素数として決定する。決定された最適表示画素数は、解析精度Ｐ（ｎ）に対応する最適表示画素数として画素数記憶部１７に格納される。以上の処理を、解析精度Ｐ（１），Ｐ（２），Ｐ（３）・・・と段階的に行っていく。解析精度Ｐ（ｎ）を段階的に高くする回数は、上限値（ＭＡＸ）として予め設定しておく。
【００４２】
図８は、画素数記憶部１７に格納される最適表示画素数の一例を示す図である。図８においては、ディスプレイの画素数が３６４０×２１６０である場合に、４つの蓄積コンテンツに対して算出された最適表示画素数を示している。
【００４３】
なお、本実施例においては、ステップＳ１３０でディスプレイの画素数（Ｘ×Ｙ）を表示画素数の初期設定値とする場合について説明したが、ｎ≧２の場合は、解析精度Ｐ（ｎ−１）での演算処理で算出された最適表示画素数Ｒ（ｎ−１）を初期設定値としてもよい。
【００４４】
以上のように、コンテンツに最適な表示画素数を決定する処理において、解析精度を段階的に高くしながらコンテンツに最適な表示画素数を算出する。これにより、任意のタイミングでユーザにより蓄積コンテンツの再生要求がされた場合、その時点の解析精度で算出されている最適表示画素数で、コンテンツの拡大画像をディスプレイに表示することが可能となる。
【００４５】
なお、ここでは、蓄積されたコンテンツの画像を画素変換して拡大表示する場合について説明したが、ビデオテープや光ディスク等に記録されているコンテンツの画像を画素変換して拡大表示する場合も、同様の効果が得られる。
【００４６】
また、ここでは、画像の周波数成分に基づいて画像特性の劣化を判別する場合について説明したが、シャープネス、色再現性、階調再現性、ノイズなどの成分によって画像特性の劣化を判別してもよい。
【００４７】
また、画素数決定部１５により決定された最適表示画素数は、ユーザが任意に設定変更できるようにしてもよい。例えば、ユーザがリモコン１８を操作して、最適表示画素数を設定変更するメニューを表示させて、水平方向の画素数及び垂直方向の画素数を任意に変更できるようにする。図９は、画素数記憶部１７に記憶されている最適表示画素数情報に、ユーザが指定した表示画素数の情報を追加した図である。図９において、蓄積コンテンツ番号３のコンテンツの付加情報として、ユーザが指定した表示画素数（２３０４×１２９５）の情報が追加されている。これにより、ユーザが蓄積コンテンツ番号３のコンテンツを後で再度視聴する場合でも、ユーザが一度指定した表示画素数でコンテンツを視聴することができる。
【００４８】
（実施の形態２）
この実施の形態２では、コンテンツの蓄積処理中に行う最適表示画素数計算方法と、蓄積処理が完了した後で行う最適表示画素数計算方法とが異なる。コンテンツの蓄積処理中は、他の処理を行う能力に制限があるため、簡易な最適表示画素数計算方法を用いる。そして、蓄積処理が完了した後は、実施の形態１と同様の最適表示画素数計算方法を用いる。
【００４９】
図１０は、本発明の実施の形態２に係る表示制御装置の概略構成を示すブロック図である。図１０において、図１に示したブロックと同様の動作を行うブロックついては同一の符号を付し、その説明を省略する。
【００５０】
図１０において、システム制御部２１は、ユーザから蓄積要求を受けると、蓄積再生制御部８に蓄積処理を開始するように指示するとともに、映像復号部２２の動作を制御する。これに応じて、映像復号部２２は、デマルチプレクサ２からの映像信号を復号して、画素変換部４及び解析部２３に出力する。解析部２３は、映像復号部２２により復号された映像信号の各フレームの画像を、順次ＤＣＴ等の直行変換手法を用いて、空間的な周波数成分に分解する。そして、空間周波数分解により得られたＤＣＴ係数を２乗して、周波数成分毎のエネルギーのヒストグラムを生成する。さらに、解析部２３は、各フレームの周波数成分毎のエネルギーヒストグラムから、周波数成分毎のエネルギー平均値及びエネルギー標準偏差σを求め、（エネルギー平均値＋２×σ）をエネルギー上限値として算出する。
【００５１】
予測劣化率記憶部２５には、各周波数成分に対応する画像特性の予測劣化率情報が予め格納されている。この予測劣化率情報は、画素変換により画像を拡大した場合に、各周波数成分に対応する画像が劣化する割合を予測するものである。
【００５２】
図１１は、図６に示したＤＣＴ係数マトリクス上における各周波数成分に対応するＤＣＴ係数位置ａ１１〜ａ８８の予測劣化率情報の一例を示す図である。予測劣化率は、予め相当数の画像に対して評価実験を行って決定したものを用いる。
【００５３】
画素数決定部２４は、各フレームに対応する周波数成分毎のエネルギー平均値及びエネルギー標準偏差σが算出される度に、予測劣化率記憶部２５と閾値記憶部１６から周波数成分毎の予測劣化率と劣化判定閾値を取得する。そして、画素数決定部２４は、各フレームの全ての周波数成分について、以下の数式（１），（２）を満たす表示画素数を最適表示画素数の予測値とする。
【００５４】
エネルギー上限値×（予測劣化率）ｉ＝劣化判定閾値・・・（１）
ｉ＝最適表示画素数−コンテンツの画素数・・・（２）
数式（２）が示すｉは、画素変換によって増加する画素数を表している。予測劣化率は、１画素増加した場合に画像特性がどの程度劣化するかを予測するものである。
【００５５】
画素数記憶部１７に記憶される最適表示画素数（予測値）は、１フレーム分の画像解析が終わる度に更新される。ただし、蓄積されたコンテンツの全ての画像フレームをフレーム毎に最適表示画素数（予測値）を求めるのではなく、所定数のフレーム毎に最適表示画素数（予測値）を求めるようにしてもよい。このようにして、コンテンツを蓄積しながら、リアルタイムでコンテンツに最適な表示画素数（予測値）が決定される。なお、算出された最適表示画素数がディスプレイの画素数よりも大きくなる場合は、ディスプレイの画素数を最適表示画素数の予測値とする。
【００５６】
コンテンツの蓄積処理が終了した後は、実施の形態１で説明したように最適画素数計算部１１により最適表示画素数を決定する。コンテンツ蓄積中に最適表示画素数（予測値）を決定するのに比べて、コンテンツ蓄積処理が終了した後の方が、画像を画素変換して画像特性の評価を行うので、より高精度に最適表示画素数が求められる。
【００５７】
図１２は、ユーザがコンテンツの再生を要求した場合の処理について説明するための図である。図１２において、時刻ｔ１０にコンテンツの蓄積が開始され、時刻ｔ１２にコンテンツの蓄積が終了するものとする。
【００５８】
図１０及び図１２を参照して、時刻ｔ１０〜ｔ１２の期間にコンテンツの蓄積処理を行っている間、画素数決定部２４はフレーム毎にリアルタイムに最適表示画素数（予測値）を算出する。時刻ｔ１２にコンテンツの蓄積が終了した後は、解析精度をＰ（１），Ｐ（２），Ｐ（３），・・・と段階的に高くしながらコンテンツに最適な表示画素数Ｒ（１），Ｒ（２），Ｒ（３），・・・を算出する。
【００５９】
ここで、コンテンツ蓄積処理中の時刻ｔ１１に、ユーザがリモコン１８を操作して、蓄積されたコンテンツのタイムシフト再生を要求した場合（再生要求Ｃ）、システム制御部６は蓄積再生制御部８にコンテンツの再生を指示する。また、システム制御部６は、画素数記憶部１７からその時点で算出されている最適表示画素数（予測値）を取得し、画素変換部４に最適表示画素数（予測値）を設定する。蓄積再生制御部８により再生されたコンテンツは、画素変換部４によって最適表示画素数（予測値）に画素変換されてディスプレイに拡大表示される。また、時刻ｔ１４に、ユーザが蓄積済みのコンテンツのタイムシフト再生を要求した場合は（再生要求Ｄ）、コンテンツはその時点で算出されている最適表示画素数Ｒ（１）でディスプレイに拡大表示される。
【００６０】
このように、コンテンツの蓄積処理中は、他の処理を行う能力に制限があるため、映像復号部２２によって復号された映像信号に対して最適表示画素数（予測値）を算出する。そして、蓄積処理が完了した後は、実施の形態１と同様の方法で、解析精度を段階的に高くしながら、蓄積されたコンテンツを画素変換した後に画像特性の評価を行って最適表示画素数を算出する。画素変換には大きな処理負荷がかかるため、この実施の形態２では、コンテンツの蓄積処理中は処理負荷の小さい方法で最適表示画素数（予測値）を求める。
【００６１】
なお、ここではコンテンツの蓄積処理中、及び蓄積処理が完了した後に最適表示画素数を決定する場合について説明したが、例えば受信中の放送コンテンツをリアルタイムに画素変換してディスプレイに拡大表示させる場合にも適用できる。
【００６２】
（実施の形態３）
この実施の形態３では、ディスプレイの画素数やサイズ（表示領域の大きさ）に応じて、最適表示画素数の決定処理に用いる劣化判定閾値を異なる値とする。
【００６３】
図１３は、本発明の実施の形態３に係る表示制御装置の概略構成を示すブロック図である。図１３において、図１に示したブロックと同様の動作を行うブロックついては同一の符号を付し、その説明を省略する。
【００６４】
サイズ・画素数取得部３１は、表示制御装置に接続されたディスプレイの画素数及びサイズを取得して、画素数決定部１５に出力する。このサイズ・画素数取得部３１は、複数のディスプレイが接続されている場合は、複数のディスプレイのうちコンテンツを表示させるディスプレイの画素数及びサイズを取得する。閾値記憶部１６には、複数種類のディスプレイに対応した劣化判定閾値が予め格納される。
【００６５】
図１４は、複数種類のディスプレイに対応した劣化判定閾値の一例を示す図である。これらの劣化判定閾値は、評価実験を行う等して予め決めたものである。図１４において、ディスプレイの画素数が多いほど、劣化判定閾値は小さな値となっている。また、ディスプレイのサイズ（水平方向の長さ×垂直方向の長さ）が大きいほど、劣化判定閾値は大きな値となっている。
【００６６】
図１３に戻って、画素数決定部１５は、サイズ・画素数取得部３１によって取得されたディスプレイの画素数及びサイズに対応する劣化判定閾値を判定閾値記憶部１６から読み出して、最適表示画素数を決定する。
【００６７】
したがって、表示制御装置がディスプレイと一体型でないセットトップボックス等であっても、ディスプレイの画素数やサイズに合わせた最適表示画素数を決定することができる。また、表示制御装置に複数のディスプレイが接続されている場合でも、コンテンツを表示させるディスプレイの画素数やサイズに合わせた最適表示画素数の決定処理を適宜行うことが可能となる。
【００６８】
（実施の形態４）
実施の形態４は、最適表示画素数が算出された後に、蓄積コンテンツの圧縮映像信号のヘッダ部に最適表示画素数情報を挿入するように構成したものである。これにより、最適表示画素数が一旦算出された蓄積コンテンツをリムーバブルメディア等に移動（ムーブ）し、その蓄積コンテンツを他の表示制御装置で再生表示させる場合でも、一旦算出された最適表示画素数を再利用することが可能となる。
【００６９】
図１５は、本発明の実施の形態４に係る表示制御装置の概略構成を示すブロック図である。図１５において、図１３に示したブロックと同様の動作を行うブロックついては同一の符号を付し、その説明を省略する。
【００７０】
画素数情報付加部４１は、画素数記憶部１７に記憶された最適表示画素数情報を取得してヘッダ情報を作成する。そして、コンテンツ蓄積部９からコンテンツを読み出してデマルチプレックス処理を施して分離した映像信号（ＭＰＥＧ２−ｖｉｄｅｏ信号）のシーケンスヘッダ部に、作成したヘッダ情報を多重する。画素数情報付加部４１は、ヘッダ情報が多重されたＭＰＥＧ２−ＴＳ信号をコンテンツ蓄積部９に蓄積する。コンテンツ蓄積部９に蓄積されるコンテンツには、「最適表示画素数情報」が付加されているか否かを示すフラグが追加される。
【００７１】
図１６は、コンテンツに付加されるヘッダ情報（最適表示画素数情報）の一例を示す図である。図１６において、「ｉｄ」は最適表示画素数ヘッダであることを示す情報（３２ｂｉｔ）である。「ｈ＿ｒｅｓ＿ｏｐｔ」は最適表示画素数の水平方向成分を示す情報（３２ｂｉｔ）、「ｖ＿ｒｅｓ＿ｏｐｔ」は最適表示画素数の垂直方向成分を示す情報（３２ｂｉｔ）である。「ｈ＿ｒｅｓ＿ｍｏｎｉｔｏｒ」はディスプレイの画素数の水平方向成分を示す情報（３２ｂｉｔ）、「ｖ＿ｒｅｓ＿ｍｏｎｉｔｏｒ」はディスプレイの画素数の垂直方向成分を示す情報（３２ｂｉｔ）である。「ｈ＿ｓｉｚ＿ｍｏｎｉｔｏｒ」はディスプレイの水平方向の長さを示す情報（３２ｂｉｔ）、「ｖ＿ｓｉｚ＿ｍｏｎｉｔｏｒ」はディスプレイの垂直方向の長さを示す情報（３２ｂｉｔ）である。また、「ｓｃａｌｉｎｇ＿ａｌｇ」は画素変換アルゴリズムを示す情報（８ｂｉｔ）である。これらのヘッダ情報は、シーケンスヘッダ内に規定されるユーザデータ部に挿入される。ＭＰＥＧ２−ｖｉｄｅｏ信号及びシーケンスヘッダの詳細は、ＭＰＥＧ２の規格ＩＳＯ／ＩＥＣ１３８１８−２に規定されている。
【００７２】
次に、ヘッダ情報（最適表示画素数情報）が付加された蓄積コンテンツを再生する場合の動作について説明する。図１５に戻って、コンテンツ蓄積部９から読み出されたコンテンツは、デマルチプレクサ２を介して映像復号部４２に入力される。映像復号部４２は、デマルチプレクサ２を介して受けた映像信号を復号するとともに、映像信号のシーケンスヘッダ部を解析して最適表示画素数情報が付加されているかどうかをチェックする。そして、最適表示画素数情報が検出された場合は、システム制御部４３に最適表示画素数情報（図１６参照）を出力する。
【００７３】
システム制御部４３は、映像復号部４２から最適表示画素数情報が通知されない場合は、実施の形態３に示した方法で最適表示画素数を決定して、画素変換部４に画素変換を指示する。一方、映像復号部４２から最適表示画素数情報が通知された場合は、最適表示画素数情報の内容を解析する。そして、最適表示画素数情報として記述された画素変換アルゴリズムと、画素変換部４の画素変換アルゴリズムとが一致しているかどうかをチェックする。また、最適表示画素数情報として記述されたディスプレイの画素数及びサイズと、表示制御装置に接続されているディスプレイの画素数及びサイズとが一致しているかどうかをチェックする。これらのチェック項目が全て一致している場合は、映像復号部４２から通知された最適表示画素数に画素変換を行うように画素変換部４に指示する。いずれか一つでも一致しないチェック項目がある場合は、実施の形態３に示した方法で最適表示画素数を決定して、画素変換部４に画素変換を指示する。
【００７４】
したがって、表示制御装置からコンテンツをコンテンツ蓄積部９に移動（ムーブ）した場合でも、一旦算出された最適表示画素数を再利用することが可能となる。
【図面の簡単な説明】
【００７５】
【図１】本発明の実施の形態１に係る表示制御装置の概略構成を示すブロック図である。
【図２】コンテンツに付加される蓄積コンテンツ情報の一例を示す図である。
【図３】解析精度を段階的に高くしながら最適表示画素数を算出する処理について説明するための図である。
【図４】最適表示画素数を決定する処理を示す第１のフローチャートである。
【図５】最適表示画素数を決定する処理を示す第２のフローチャートである。
【図６】図１に示した解析部の動作について説明するための図である。
【図７】図１に示した閾値記憶部に予め格納される劣化判定閾値の一例を示す図である。
【図８】図１に示した画素数記憶部に格納される最適表示画素数の一例を示す図である。
【図９】最適表示画素数情報にユーザが指定した表示画素数の情報を追加した図である。
【図１０】本発明の実施の形態２に係る表示制御装置の概略構成を示すブロック図である。
【図１１】図１０に示した予測劣化率記憶部に予め格納される予測劣化率情報の一例を示す図である。
【図１２】ユーザがコンテンツの再生を要求した場合の処理について説明するための図である。
【図１３】本発明の実施の形態３に係る表示制御装置の概略構成を示すブロック図である。
【図１４】複数種類のディスプレイに対応した劣化判定閾値の一例を示す図である。
【図１５】本発明の実施の形態４に係る表示制御装置の概略構成を示すブロック図である。
【図１６】コンテンツに付加されるヘッダ情報の一例を示す図である。
【符号の説明】
【００７６】
１  受信部
２  デマルチプレクサ
３  映像復号部
４  画素変換部
５  映像出力部
６  システム制御部
７  蓄積処理部
８  蓄積再生制御部
９  コンテンツ蓄積部
１０  画素数決定制御部
１１  最適画素数計算部
１２  映像復号部
１３  画素変換部
１４  解析部
１５  画素数決定部
１６  閾値記憶部
１７  画素数記憶部
１８  リモコン
【図１】
2008172392.tif 000003
【図２】
2008172392.tif 000004
【図３】
2008172392.tif 000005
【図４】
2008172392.tif 000006
【図５】
2008172392.tif 000007
【図６】
2008172392.tif 000008
【図７】
2008172392.tif 000009
【図８】
2008172392.tif 000010
【図９】
2008172392.tif 000011
【図１０】
2008172392.tif 000012
【図１１】
2008172392.tif 000013
【図１２】
2008172392.tif 000014
【図１３】
2008172392.tif 000015
【図１４】
2008172392.tif 000016
【図１５】
2008172392.tif 000017
【図１６】
2008172392.tif 000018
【手続補正書】
【提出日】平成19年11月29日(2007.11.29)
【手続補正１】
【補正対象書類名】明細書
【補正対象項目名】００１４
【補正方法】変更
【補正の内容】
【００１４】
（実施の形態１）
以下、本発明の実施の形態を図面を用いて説明する。図１は、本発明の実施の形態１に係る表示制御装置の概略構成を示すブロック図である。なお、本実施例において、デジタルテレビ放送のコンテンツを視聴することを想定している。また、伝送フォーマットはＭＰＥＧ２（Ｍｏｖｉｎｇ  Ｐｉｃｔｕｒｅ  Ｅｘｐｅｒｔ  Ｇｒｏｕｐ２）のＴＳ（Ｔｒａｎｓｐｏｒｔ  Ｓｔｒｅａｍ）を想定している。
【手続補正２】
【補正対象書類名】明細書
【補正対象項目名】００３０
【補正方法】変更
【補正の内容】
【００３０】
ステップＳ１０１において、画素数決定制御部１０は、コンテンツ蓄積部９に蓄積されたコンテンツを解析して、蓄積されたコンテンツの画素数を取得する。また、この画素数決定制御部１０は、画素数記憶部１７からディスプレイの画素数情報を読み出す。続いてステップＳ１０２において、コンテンツの画素数がディスプレイの画素数よりも低いか否かを判別する。なお、ディスプレイの画素数情報は、画素数決定制御部１０に予め設定されるものとする。ここで、「コンテンツの画素数」≧「ディスプレイの画素数」である場合は（ＮＯ）、ステップＳ１０３に進み、画素数決定部１５はディスプレイの画素数をコンテンツに最適な表示画素数として決定する。一方、「コンテンツの画素数」＜「ディスプレイの画素数」である場合は（ＹＥＳ）、ステップＳ１０２からステップＳ１０４に進み、最適画素数計算部１１はコンテンツに最適な表示画素数を計算する。
【手続補正３】
【補正対象書類名】明細書
【補正対象項目名】００３１
【補正方法】変更
【補正の内容】
【００３１】
図５は、最適表示画素数を決定する処理を示す第２のフローチャートである。この図５は、図４に示したステップＳ１０４の最適画素数計算処理を詳細に説明するものであり、解析精度Ｐ（ｎ）での演算処理を示している。なお、本実施例では、コンテンツの画像解析に用いるフレーム数を段階的に増やしていくことにより、解析精度Ｐ（ｎ）を段階的に高くしていくものとする。
【手続補正４】
【補正対象書類名】明細書
【補正対象項目名】００３４
【補正方法】変更
【補正の内容】
【００３４】
ステップＳ１３４において、解析部１４は、画素変換された各フレームの画像をＤＣＴ（Ｄｉｓｃｒｅｔｅ  Ｃｏｓｉｎｅ  Ｔｒａｎｓｆｏｒｍ：離散コサイン変換）等の直交変換手法を用いて、空間的な周波数成分に分解する。続いて、ステップＳ１３５において、空間周波数分解により得られたＤＣＴ係数を２乗して、周波数成分毎のエネルギーのヒストグラムを生成する。
【手続補正５】
【補正対象書類名】明細書
【補正対象項目名】００４０
【補正方法】変更
【補正の内容】
【００４０】
ステップＳ１４１において、水平方向の画素数を（Ｘ／１０）だけ減算し、垂直方向の画素数を（Ｙ／１０）だけ減算して、表示画素数の設定値を変更する。なお、ここで表示画素数の設定値をどの程度変更するかは任意であるが、元の画像のアスペクト比を変化させないようにするのが好ましい。ステップＳ１４１で表示画素数の設定値が変更された場合は、再度ステップＳ１３２〜Ｓ１４０の処理を実行する。そして、画像特性の劣化が許容範囲内に収まるまで、ステップＳ１３２〜Ｓ１４１の処理を繰り返す。
【手続補正６】
【補正対象書類名】図面
【補正対象項目名】図５
【補正方法】変更
【補正の内容】
【図５】
2008172392.tif 000019
【手続補正７】
【補正対象書類名】図面
【補正対象項目名】図１２
【補正方法】変更
【補正の内容】
【図１２】
2008172392.tif 000020
【手続補正８】
【補正対象書類名】図面
【補正対象項目名】図１５
【補正方法】変更
【補正の内容】
【図１５】
2008172392.tif 000021
【手続補正９】
【補正対象書類名】図面
【補正対象項目名】図１６
【補正方法】変更
【補正の内容】
【図１６】
2008172392.tif 000022